(57)【特許請求の範囲】
【請求項１】
矩形板状の第１ハウジングと、
該第１ハウジングの板面に重ね合わせられることで、前記第１ハウジングと共にオスコネクタハウジングを構成する矩形板状の第２ハウジングと、
前記第１ハウジングと第２ハウジングを回動可能に一体に連結するヒンジと、
前記第１ハウジングと第２ハウジングの少なくとも一方に一体に設けられ、前記第１ハウジングと第２ハウジングを重ね合わせた状態でロックするロック手段と、
前記オスコネクタハウジングに収容されるコネクタ端子として、複数の各電線の先端に取り付けられた複数の第１端子と、
該第１端子及び前記電線の先端付近を収容するべく前記第１ハウジングと第２ハウジングの重ね合わせ面に前記端子ごとに形成されたキャビティと、
を具備し、
前記ヒンジが、前記オスコネクタハウジングの前端に位置するように前記第１ハウジング及び第２ハウジングの前端縁に配置され、前記第１ハウジングに対して第２ハウジングが前記ヒンジを支点にして後端側を開閉するように連結され、前記キャビティが、前記第１ハウジング及び第２ハウジングの前部に前記第１端子を収容する収容部を配し、後部に前記第１端子から後方へ延びる電線を収容する収容溝をそれぞれ配した形状に形成されているオスコネクタと、該オスコネクタの前記第１端子に電気接続される第２端子を備えたメスコネクタとのセットから成るコネクタであって、
前記オスコネクタハウジングを構成する第１ハウジングまたは第２ハウジングに、前記オスコネクタとメスコネクタを嵌合する前後方向に沿ったガイド溝が設けられ、前記メスコネクタに、前記オスコネクタハウジングとメスコネクタのメスコネクタハウジングの嵌合時に前記ガイド溝に沿って挿入されることで、前記オスコネクタハウジングの内部の前記第１端子と弾性接触する線バネ状の前記第２端子が設けられており、該第２端子に、前記オスコネクタハウジングとメスコネクタハウジングの嵌合に伴い前記第１端子の外側面に摺動接触するへの字状のバネ部が設けられていることを特徴とするコネクタ。
【請求項２】
矩形板状の第１ハウジングと、
該第１ハウジングの板面に重ね合わせられることで、前記第１ハウジングと共にオスコネクタハウジングを構成する矩形板状の第２ハウジングと、
前記第１ハウジングと第２ハウジングを回動可能に一体に連結するヒンジと、
前記第１ハウジングと第２ハウジングの少なくとも一方に一体に設けられ、前記第１ハウジングと第２ハウジングを重ね合わせた状態でロックするロック手段と、
前記オスコネクタハウジングに収容されるコネクタ端子として、複数の各電線の先端に取り付けられた複数の第１端子と、
該第１端子及び前記電線の先端付近を収容するべく前記第１ハウジングと第２ハウジングの重ね合わせ面に前記端子ごとに形成されたキャビティと、
を具備し、
前記ヒンジが、前記オスコネクタハウジングの前端に位置するように前記第１ハウジング及び第２ハウジングの前端縁に配置され、前記第１ハウジングに対して第２ハウジングが前記ヒンジを支点にして後端側を開閉するように連結され、前記キャビティが、前記第１ハウジング及び第２ハウジングの前部に前記第１端子を収容する収容部を配し、後部に前記第１端子から後方へ延びる電線を収容する収容溝をそれぞれ配した形状に形成されているオスコネクタと、該オスコネクタの前記第１端子に電気接続される第２端子を備えたメスコネクタとのセットから成るコネクタであって、
前記オスコネクタハウジングを構成する第１ハウジングが左右方向に長い帯板状に形成され、該第１ハウジングの上側の板面に重ね合わせる上側の前記第２ハウジングが、前記第１ハウジングの左右方向の中央にスペースを空けて２枚配設され、前記第１ハウジングの上側の板面の前記中央のスペースに、前記第１ハウジングと第２ハウジングとで構成したオスコネクタハウジングを、前記メスコネクタのメスコネクタハウジングの開口内に嵌合させたときに、該メスコネクタハウジング側のロック部とロックするロックアームが設けられていることを特徴とするコネクタ。
【請求項３】
請求項２に記載のコネクタであって、
前記ヒンジが、前記オスコネクタハウジングと前記メスコネクタハウジングが嵌合して、前記ロックアームのロック部が前記メスコネクタハウジングのロック部に係合したとき、前記メスコネクタハウジングの開口内の奥壁に押圧し、それにより発生する弾性反力によって、前記ロックアームのロック部と前記メスコネクタのロック部との係合隙間を詰めるものとして形成されていることを特徴とするコネクタ。
【発明の詳細な説明】
【技術分野】
【０００１】
本発明は、薄型化・小型化が可能なオスコネクタ、及び、そのオスコネクタを用いたオス・メスコネクタセット、即ち、コネクタに関するものである。
【背景技術】
【０００２】
図９は従来のコネクタの概略構成を示す分解斜視図である（例えば、特許文献１参照）。
【０００３】
このコネクタ５００は、シールドケーブル用のコネクタであり、ハウジング本体５１０と、該ハウジング本体５１０を挿入するケース５５０とから構成されている。ハウジング本体５１０の上面側と下面側には、複数の端子収容部５１２が設けられると共に、各端子収容部５１２の表面開口部分を覆うように蓋体５２０が設けられている。このコネクタ５００は、各端子収容部５１２に電線の先端に取り付けた端子（図示略）を収容して蓋体５２０を閉じた後、ハウジング本体５１０を箱型のケース５５０に挿入することにより、蓋体５２０を閉状態に保持するようになっている。
【先行技術文献】
【特許文献】
【０００４】
【特許文献１】特開平１０−９２５０６号公報
【発明の概要】
【発明が解決しようとする課題】
【０００５】
ところで、図９の従来のコネクタ５００の場合、蓋体５２０を有するハウジング本体５１０の他にケース５５０を使用しているので、部品点数が多い上、組み立て作業性が悪く、コスト高になっていた。また、部品点数が多いことにより、薄型化が困難になっていた。
【０００６】
本発明は、上記事情を考慮し、部品点数を最小限に抑えることで、組み立て作業性を良くして、コスト削減を図れるようにし、更に薄型化を図れるようにしたコネクタを提供することを目的とする。
【課題を解決するための手段】
【００１１】
上記課題を解決するために、請求項１の発明は、矩形板状の第１ハウジングと、該第１ハウジングの板面に重ね合わせられることで、前記第１ハウジングと共にオスコネクタハウジングを構成する矩形板状の第２ハウジングと、前記第１ハウジングと第２ハウジングを回動可能に一体に連結するヒンジと、前記第１ハウジングと第２ハウジングの少なくとも一方に一体に設けられ、前記第１ハウジングと第２ハウジングを重ね合わせた状態でロックするロック手段と、前記オスコネクタハウジングに収容されるコネクタ端子として、複数の各電線の先端に取り付けられた複数の第１端子と、該第１端子及び前記電線の先端付近を収容するべく前記第１ハウジングと第２ハウジングの重ね合わせ面に前記端子ごとに形成されたキャビティと、を具備し、前記ヒンジが、前記オスコネクタハウジングの前端に位置するように前記第１ハウジング及び第２ハウジングの前端縁に配置され、前記第１ハウジングに対して第２ハウジングが前記ヒンジを支点にして後端側を開閉するように連結され、前記キャビティが、前記第１ハウジング及び第２ハウジングの前部に前記第１端子を収容する収容部を配し、後部に前記第１端子から後方へ延びる電線を収容する収容溝をそれぞれ配した形状に形成されているオスコネクタと、該オスコネクタの前記第１端子に電気接続される第２端子を備えたメスコネクタとのセットから成るコネクタであって、前記オスコネクタハウジングを構成する第１ハウジングまたは第２ハウジングに、前記オスコネクタとメスコネクタのメスコネクタハウジングを嵌合する前後方向に沿ったガイド溝が設けられ、前記メスコネクタに、前記オスコネクタハウジングとメスコネクタハウジングの嵌合時に前記ガイド溝に沿って挿入されることで、前記オスコネクタハウジングの内部の前記第１端子と弾性接触する線バネ状の前記第２端子が設けられており、該第２端子に、前記オスコネクタハウジングとメスコネクタハウジングの嵌合に伴い前記第１端子の外側面に摺動接触するへの字状のバネ部が設けられていることを特徴とする。
【００１２】
請求項２の発明は、矩形板状の第１ハウジングと、該第１ハウジングの板面に重ね合わせられることで、前記第１ハウジングと共にオスコネクタハウジングを構成する矩形板状の第２ハウジングと、前記第１ハウジングと第２ハウジングを回動可能に一体に連結するヒンジと、前記第１ハウジングと第２ハウジングの少なくとも一方に一体に設けられ、前記第１ハウジングと第２ハウジングを重ね合わせた状態でロックするロック手段と、前記オスコネクタハウジングに収容されるコネクタ端子として、複数の各電線の先端に取り付けられた複数の第１端子と、該第１端子及び前記電線の先端付近を収容するべく前記第１ハウジングと第２ハウジングの重ね合わせ面に前記端子ごとに形成されたキャビティと、を具備し、前記ヒンジが、前記オスコネクタハウジングの前端に位置するように前記第１ハウジング及び第２ハウジングの前端縁に配置され、前記第１ハウジングに対して第２ハウジングが前記ヒンジを支点にして後端側を開閉するように連結され、前記キャビティが、前記第１ハウジング及び第２ハウジングの前部に前記第１端子を収容する収容部を配し、後部に前記第１端子から後方へ延びる電線を収容する収容溝をそれぞれ配した形状に形成されているオスコネクタと、該オスコネクタの前記第１端子に電気接続される第２端子を備えたメスコネクタとのセットから成るコネクタであって、前記オスコネクタハウジングを構成する第１ハウジングが左右方向に長い帯板状に形成され、該第１ハウジングの上側の板面に重ね合わせる上側の前記第２ハウジングが、前記第１ハウジングの左右方向の中央にスペースを空けて２枚配設され、前記第１ハウジングの上側の板面の前記中央のスペースに、前記第１ハウジングと第２ハウジングとで構成したオスコネクタハウジングを、前記メスコネクタのメスコネクタハウジングの開口内に嵌合させたときに、該メスコネクタハウジング側のロック部とロックするロックアームが設けられていることを特徴とする。
【００１３】
請求項３の発明は、請求項２に記載のコネクタであって、前記ヒンジが、前記オスコネクタハウジングと前記メスコネクタハウジングが嵌合して、前記ロックアームのロック部が前記メスコネクタハウジングのロック部に係合したとき、前記メスコネクタハウジングの開口内の奥壁に押圧し、それにより発生する弾性反力によって、前記ロックアームのロック部と前記メスコネクタのロック部との係合隙間を詰めるものとして形成されていることを特徴とする。
【発明の効果】
【００１４】
請求項１の発明によれば、オスコネクタハウジングを構成する第１ハウジングと第２ハウジングをヒンジを介して一体に連結することで一体成形品化している上、第１ハウジングと第２ハウジングの少なくとも一方に、両ハウジングを重ね合わせた状態でロックするロック手段を一体に設けているので、第１ハウジングと第２ハウジングを重ね合わせてロックするだけの１回の操作で、端子を両ハウジング間に収容することができる。従って、従来のようにハウジングをケースの中に挿入する必要がなく、ケースが不要で部品点数の削減が図れると共に、組立作業性の向上を図ることができ、コストの低減を図ることができる。また、ケースのような余計な部品が不要であるから、オスコネクタハウジングを極力薄型化及び小型化することができる。
【００１５】
また、請求項１の発明によれば、第１ハウジングと第２ハウジングを連結するヒンジと反対側に電線が延びるようにしているので、電線の先端に取り付けた端子をキャビティに収容し、第１ハウジングと第２ハウジングをヒンジを支点にして閉じる方向に回動させて重ね合わせるだけで、電線が邪魔になることなく、オスコネクタを容易に組み立てることができる。また、ヒンジが前端にあることで、ヒンジによってオスコネクタハウジングの前端の隙間（第１ハウジングと第２ハウジングの重ね合わせ面の隙間）を塞ぐことができるので、異物がキャビティに侵入するのを極力防ぐことができる。
【００１８】
特に、請求項１の発明によれば、第２端子のバネ部を第１端子の外側面に摺動接触させることにより、第１端子と第２端子の電気接続を行うことができる。この場合、線バネ状の第２端子は、オスコネクタハウジングとメスコネクタハウジングの嵌合に従ってガイド溝に挿入されるので、左右に動きづらくなり、動くことで接触不良になるのを防止することができる。また、第２端子がガイド溝に収まることにより、隣の端子間の絶縁性が高まる効果も得られる。
【００１９】
請求項２の発明によれば、第１ハウジングの上側の板面に重ね合わせる第２ハウジングを２枚に分割し、第１ハウジングの板面上のその分割スペースにロックアームを配置したので、第２ハウジングにロックアームを設けるのと比べて、オスコネクタ全体の薄型化が可能となる。
【００２０】
請求項３の発明によれば、ヒンジの弾力によってオス・メスコネクタのロック部間のガタを吸収することができるので、オスコネクタとメスコネクタの端子同士の接触部の微摺動摩耗を防止することができる。
【図面の簡単な説明】
【００２１】
【図１】本発明の実施形態のオスコネクタの組み立て途中の状態を示す斜視図である。
【図２】同オスコネクタの組み立て完了状態を示す斜視図である。
【図３】同オスコネクタの側断面図である。
【図４】図３のＡ−Ａ矢視断面図である。
【図５】図３のＢ−Ｂ矢視断面図である。
【図６】（ａ）は本実施形態のオスコネクタに用いる第１端子としての圧着端子の構成を示す斜視図、（ｂ）はその代替品としての圧接端子の構成を示す斜視図である。
【図７】本発明の実施形態のオス・メスコネクタセットの構成を示す図で、オスコネクタとメスコネクタを嵌合する前の状態を示す斜視図である。
【図８】図７のオスコネクタとメスコネクタを嵌合した状態を示す側断面図である。
【図９】従来のコネクタの概略構成を示す斜視図である。
【発明を実施するための形態】
【００２２】
以下、本発明の実施形態を図面を参照して説明する。
【００２３】
図１は実施形態のオスコネクタの組み立て途中の状態を示す斜視図、図２は同オスコネクタの組み立て完了状態を示す斜視図、図３は同オスコネクタの側断面図、図４は図３のＡ−Ａ矢視断面図、図５は図３のＢ−Ｂ矢視断面図、図６（ａ）は前記オスコネクタに用いる第１端子としての圧着端子の構成を示す斜視図、図６（ｂ）はその代替品としての圧接端子の構成を示す斜視図、図７は前記オスコネクタとメスコネクタのセットの構成を示す図で、オスコネクタとメスコネクタを嵌合する前の状態を示す斜視図、図８は前記オスコネクタとメスコネクタを嵌合した状態を示す側断面図である。
【００２４】
図１及び図２に示すように、本実施形態のオスコネクタ１は、合成樹脂の一体成形品よりなるオスコネクタハウジング１Ａと、複数の各電線７０の先端に取り付けられた複数の第１端子６０とから構成されている。オスコネクタハウジング１Ａは、左右方向に長い矩形帯板状の第１ハウジング１０と、この第１ハウジング１０の上側の板面と下側の板面にそれぞれ重ね合わせられる矩形板状の第２ハウジング２０Ａ、２０Ｂとから構成されている。
【００２５】
ここで、下側の第２ハウジング２０Ｂは、第１ハウジング１０とほぼ同じサイズの帯板状に形成されているが、上側の第２ハウジング２０Ａは、第１ハウジング１０の左右方向の中央にスペースを空けて２枚に分割して配設されている。そして、その第１ハウジング１０の上側の板面の中央のスペースに、第１ハウジング１０と第２ハウジング２０Ａ、２０Ｂとで構成したオスコネクタハウジング１Ａを、図７及び図８に示すように、メスコネクタ１００のメスコネクタハウジング１１０の開口１１２内に嵌合させたときに、メスコネクタハウジング１１０側のロック部１１９とロックするロック突起（ロック部）１９を有したロックアーム１８が設けられている。
【００２６】
第１ハウジング１０と上側及び下側の第２ハウジング２０Ａ、２０Ｂは、半筒状の肉薄壁よりなるヒンジ２９により、それぞれ回動可能に一体に連結されている。ヒンジ２９は、オスコネクタハウジング１Ａの前端に位置するように、第１ハウジング１０及び第２ハウジング２０Ａ、２０Ｂの前端縁に配置されており、それにより、第１ハウジング１０に対して第２ハウジング２０Ａ、２０Ｂが、ヒンジ２９を支点にして後端側を開閉するように連結されている。
【００２７】
また、第１ハウジング１０と第２ハウジング２０Ａ、２０Ｂにはそれぞれ一体に、第１ハウジング１０と第２ハウジング２０Ａ、２０Ｂを重ね合わせた状態でロックするロック突起１３とロック孔２３（ロック手段）とが設けられている。ここでは、ロック突起１３が第１ハウジング１０の上下の板面に突設され、ロック孔２３が第２ハウジング２０Ａ、２０Ｂに貫通して設けられている。ロック突起１３とロック孔２３の組は、１枚の第２ハウジング２０Ａ、２０Ｂについて、安定してロックできるようにそれぞれ２組ずつ、第１ハウジング１０の板面上の端子配列領域１１Ａ、１１Ｂを挟む位置に配置されている。なお、第１ハウジング１０の上側の板面上の端子配列領域１１Ａは、ロックアーム１８の両側に分けて設けられており、下側の板面の端子配列領域１１Ｂは、第１ハウジング１０の左右方向のほぼ全域にわたって設けられている。
【００２８】
一方、電線７０の先端に取り付けられた第１端子６０は、図６（ａ）に示すように、前部に断面長方形の圧着部（前半部）６１を有し、後部に、電線７０の被覆のついた部分に加締められた円筒状の被覆加締部６２を有している。圧着部６１は、図５に示すように、フラットな底板６１ｃの上に電線７０の導体７１を載せ、その状態で底板６１ｃの両側縁から立ち上がる一対の圧着片６１ｄ、６１ｄを内側に曲げることで、導体７１を包み込むように圧着した部分であり、圧着部６１の上面６１ａには圧着片６１ｄの合わせ部による凹凸があるが、底板６１ｃの下面６１ｂは凹凸のない平滑面となっている。また、被覆加締部６２は、圧着部６１より幅は小さいが、高さ（直径）が大きく形成されており、端子６０の正面から見ると、圧着部６１の上面６１ａ及び下面６１ｂよりも上下に出っ張っている。
【００２９】
また、図１に示すように、第１ハウジング１０と第２ハウジング２０Ａ、２０Ｂの重ね合わせ面には、各電線７０の先端に取り付けられた複数の第１端子６０及び電線７０の先端付近を収容するべく、端子６０ごとにキャビティ１２、２２が形成されている。これらキャビティ１２、２２は、第１ハウジング１０の板面上の各端子配列領域１１Ａ、１１Ｂとそれに対応する第２ハウジング２０Ａ、２０Ｂ上の領域にそれぞれ設けられており、第１ハウジング１０及び第２ハウジング２０Ａ、２０Ｂの左右方向に一定の間隔で配列されている。
【００３０】
各キャビティ１２、２２は、第１ハウジング１０及び第２ハウジング２０Ａ、２０Ｂの前部に第１端子６０を収容する収容部を配し、後部に第１端子６０から後方へ延びる電線７０を収容する収容溝をそれぞれ配した形状に形成されており、ヒンジ２９の付いている側と反対側（後方）に向かって電線７０が延びるように設定されている。
【００３１】
この場合、図３に示すように、第１ハウジング１０側のキャビティ１２は、電線７０と第１端子６０の被覆加締部６２の断面の略半分を収容する凹部として形成されている。また、第２ハウジング２０Ａ、２０Ｂ側のキャビティ２２は、第１端子６０の圧着部６１の断面全部と、被覆加締部６２及び電線７０の断面の略半分を収容する凹部として形成されている。従って、第１端子６０を収容する収容部は、主に第２ハウジング２０Ａ、２０Ｂ側のキャビティ２２によって確保され、電線７０を収容する収容溝は、第１ハウジング１０と第２ハウジング２０Ａ、２０Ｂの各キャビティ１２、２２に振り分けて確保されている。
【００３２】
特に、図４に示すように、第２ハウジング２０Ａ（２０Ｂも同様）のキャビティ２２の前側の部分（第１端子６０の収容部に相当する部分）のうちの更に前半部分は、第１端子６０の圧着部６１を丸ごと収容することのできる端子前半部収容部２２ａとして形成されており、その端子前半部収容部２２ａの周縁には、該端子前半部収容部２２ａに第１端子６０の圧着部６１を嵌め込んだ際に、その脱落を止める爪２７が形成されている。なお、これらの爪２７は、後述するガイド溝２５の両側縁に設けた型抜き溝２６（図２、図５参照）を利用して成形されている。
【００３３】
また、図３、図４に示すように、第１ハウジング１０及び第２ハウジング２０Ａ、２０Ｂのキャビティ１２、２２のうち、第１端子６０の被覆加締部６２を収容する部分の前後には、第１端子６０と係合することで第１端子６０の前後方向の移動を阻止する係止壁（係止部）１２ａ、２４が設けられている。
【００３４】
また、図２、図７、図８に示すように、各第２ハウジング２０Ａ、２０Ｂの前部外面には、オスコネクタ１とメスコネクタ１００を嵌合する前後方向に沿ったガイド溝２５が設けられている。これらのガイド溝２５の内部には、メスコネクタ１００側の第２端子１６０のバネ部１６１が乗り越える誘導壁２８が設けられている。
【００３５】
このような構造のオスコネクタ１を組み立てる場合は、まず、図１に示すように、各第２ハウジング２０Ａ、２０Ｂの各キャビティ２２に、電線７０の先端に取り付けた第１端子６０と電線７０の先端付近をそれぞれ挿入する。その際、図４に示すように、各第１端子６０の圧着部６１を、キャビティ２２の端子前半部収容部２２ａに丸ごと嵌め込むことにより、爪２７の働きにより、第１端子６０を第２ハウジング２０Ａ、２０Ｂに仮固定しておくことができる。その仮固定の状態にしたとき、第１端子６０の被覆加締部６２の断面の略半分は、端子前半部収容部２２ａの後側に連続する空間に嵌まり、被覆加締部６２の後端がキャビティ２２の係止壁２４に当たることで、第１端子６０が後方へ抜けないように位置決め固定される。また、第１端子６０の後側に延びる電線７０の断面の略半分は、キャビティ２２の後半部の半円状の収容溝に嵌まった状態となる。
【００３６】
次にその状態で、各第２ハウジング２０Ａ、２０Ｂを電線７０及び端子６０ごと、ヒンジ２９を支点にして第２ハウジング２０Ａ、２０Ｂを回動させることにより、第１ハウジング１０の上側の板面と下側の板面に重ね合わせる。そうすると、ロック突起１３がロック孔２３に係合することで、第２ハウジング２０Ａ、２０Ｂと第１ハウジング１０がロックされる。また、電線７０及び第１端子６０の被覆加締部６２の断面の残りの略半分が、第１ハウジング１０側のキャビティ１２に収まり、被覆加締部６２の前端が係止壁１２ａに係合することで、前方へ移動しないように位置決めされる。これにより、オスコネクタ１の組み立てが完成する。
【００３７】
以上のように、この実施形態のオスコネクタ１では、オスコネクタハウジング１Ａを構成する第１ハウジング１０と第２ハウジング２０Ａ、２０Ｂをヒンジ２９を介して一体に連結することで一体成形品化している上、第１ハウジング１０と第２ハウジング２０Ａ、２０Ｂに一体に、両ハウジング１０、２０Ａ、２０Ｂを重ね合わせた状態でロックするロック突起１３とロック孔２３（ロック手段）を設けているので、第１ハウジング１０と第２ハウジング２０Ａ、２０Ｂを重ね合わせてロックするだけの１回の操作で、第１端子６０を両ハウジング１０、２０Ａ、２０Ｂ間に収容することができる。従って、従来のようにハウジングをケースの中に挿入する必要がなく、ケースが不要で部品点数の削減が図れると共に、組立作業性の向上を図ることができ、コストの低減を図ることができる。また、ケースのような余計な部品が不要であるから、オスコネクタハウジング１Ａを極力薄型化及び小型化することができる。
【００３８】
また、第１ハウジング１０と第２ハウジング２０Ａ、２０Ｂを連結するヒンジ２９と反対側に電線７０が延びるようにしているので、電線７０の先端に取り付けた第１端子６０をキャビティ２２に収容し、第１ハウジング１０と第２ハウジング２０Ａ、２０Ｂをヒンジ２９を支点にして閉じる方向に回動させて重ね合わせるだけで、電線７０が邪魔になることなく、オスコネクタ１を容易に組み立てることができる。また、ヒンジ２９が前端にあることで、ヒンジ２９によってオスコネクタハウジング１Ａの前端の隙間（第１ハウジング１０と第２ハウジング２０Ａ、２０Ｂの重ね合わせ面の隙間）を塞ぐことができるので、異物がキャビティ１２、２２内に侵入するのを極力防ぐことができる。
【００３９】
また、第１ハウジング１０に対する第２ハウジング２０Ａ、２０Ｂ側の重ね合わせ面だけに、第１端子の圧着部（前半部）６１を丸ごと収容する端子前半部収容部２２ａを設けておき、その端子前半部収容部２２ａの周縁に爪２７を設けて、収容した第１端子６０の脱落止めをするようにしているので、いったん収容した第１端子６０が外れる心配がなく、容易に第１ハウジング１０と第２ハウジング２０Ａ、２０Ｂを重ね合わせてオスコネクタ１を組み立てることができる。
【００４０】
また、キャビティ１２、２２の内部にランスを設けることなく、第１端子６０の抜け止めを行うことができるので、第１ハウジング１０及び第２ハウジング２０Ａ、２０Ｂの形状の単純化を図ることができると共に、オスコネクタ１の低背化（薄型化）を図ることができる。
【００４１】
また、第１ハウジング１０の上側の板面に重ね合わせる第２ハウジング２０Ａを２枚に分割し、第１ハウジング１０の板面上のその分割スペースにメスコネクタ１００と固定するためのロックアーム１８を配置しているので、第２ハウジング２０Ａの外面にロックアームを設けるのと比べて、オスコネクタ１全体の薄型化が可能となる。
【００４２】
次に、図７及び図８を参照して、オスコネクタ１とセットで用いられてコネクタを構成するメスコネクタ１００について説明する。
【００４３】
このメスコネクタ１００は、回路基板２００上に直付けされるタイプのもので、前方に開放した開口１１２を有する合成樹脂成形品よりなるメスコネクタハウジング１１０と、該メスコネクタハウジング１１０に装着された複数の線バネ状の第２端子１６０とから構成されている。
【００４４】
メスコネクタハウジング１１０の開口１１２の内側面のうち天井壁と底壁には、前後方向に沿った溝１１４が設けられており、各溝１１４に第２端子１６０の前半部が収容されている。第２端子１６０は、長さ方向の中間部がメスコネクタハウジング１１０の後壁に埋設されることでメスコネクタハウジング１１０と一体化されており、長さ方向の後半部が後足部１６５として、メスコネクタハウジング１１０の外部にＬ字形に屈曲した形で引き出されている。そして、各第２端子１６０の後足部１６５の先端を回路基板２００のスルーホール２０１等に半田付けすることで、メスコネクタ１００が回路基板２００上に実装されるようになっている。
【００４５】
各第２端子１６０は、オスコネクタ１の第１端子６０に電気接続されるものであり、メスコネクタハウジング１１０の開口１１２内に収容された前半部の先端に、への字状に曲がったバネ部１６１を有すると共に、その更に先端に、メスコネクタハウジング１１０の天井壁と底壁にそれぞれ当接する当接部１６２を有している。バネ部１６１は、メスコネクタハウジング１１０の天井壁及び底壁に垂直な面内で該天井壁及び底壁から離れる方向にへの字状に凸に曲がっており、そのバネ部１６１の先端側の当接部１６２がメスコネクタハウジング１１０の天井壁及び底壁にそれぞれ当接し、バネ部１６１の基端側（第２端子１６０の長さ方向の中間部）が、メスコネクタハウジング１１０の後壁に埋め込まれていることで、両端支持バネとして強力なバネ性を発揮できるようになっている。
【００４６】
この場合のバネ部１６１のバネ力の発揮方向は、メスコネクタハウジング１１０の天井壁及び底壁に垂直な方向であり、天井壁側の第２端子１６０のバネ部１６１は、天井壁に向かって押し付けられたとき、それと反対方向（天井壁から離れる方向）にバネ力を発揮する。また、底壁側の第２端子１６０のバネ部１６１は、底壁に向かって押し付けられたとき、それと反対方向（底壁から離れる方向）にバネ力を発揮するようになっている。
【００４７】
これら第２端子１６０の前半部（バネ部１６１や当接部１６２を含む部分）は、オスコネクタハウジング１Ａとメスコネクタハウジング１１０を嵌合させた際に、オスコネクタ１の第２ハウジング２０Ａ、２０Ｂに設けたガイド溝２５に沿って挿入されることで、オスコネクタハウジング１Ａの内部の第１端子６０と弾性接触し、特にバネ部１６１が、オスコネクタハウジング１Ａとメスコネクタハウジング１１０の嵌合に伴い第１端子６０の平滑な下面（外側面）６１ａに摺動接触することで、第１端子６０と第２端子１６０がそれぞれ電気的に接続される。
【００４８】
また、オスコネクタハウジング１Ａを構成する第１ハウジング１０と第２ハウジング２０Ａ、２０Ｂの前端縁に位置する半筒状の薄肉壁よりなるヒンジ２９は、次のような機能を果たすことができるように形成されている。即ち、ヒンジ２９は、図８に示すように、オスコネクタハウジング１Ａとメスコネクタハウジング１１０が嵌合して、ロックアーム１８のロック部１９がメスコネクタハウジング１１０のロック部１１９に係合したときに、メスコネクタハウジング１１０の開口１１２内の奥壁１１２ａに押圧し、それにより発生する図８中矢印Ｃ方向（コネクタ嵌合方向と反対方向）の弾性反力によって、ロックアーム１８のロック部１９とメスコネクタ１００のロック部１１９との係合隙間を詰めることができるように形成されている。
【００４９】
このオスコネクタ１とメスコネクタ１００のセットにおいては、ヒンジ２９の弾力によってオス・メスコネクタのロック部１９、１１９間のガタを吸収することができるので、オスコネクタ１とメスコネクタ１００の端子６０、１６０同士の接触部の微摺動摩耗を防止することができる。
【００５０】
また、第２端子１６０のバネ部１６１を、第１端子６０の圧着部６１の平滑な下面（外側面）６１ｂに摺動接触させるようにしているので、第１端子６０と第２端子１６０の電気接続を円滑に行うことができる。この場合、線バネ状の第２端子１６０は、オスコネクタハウジング１Ａとメスコネクタハウジング１１０の嵌合に従ってガイド溝２５に挿入されるので、左右に動きづらくなり、動くことで接触不良になるのを防止することができる。また、第２端子１６０がガイド溝２５に収まることにより、隣の端子１６０間の絶縁性が高まる効果も得られる。
【００５１】
また、第１端子６０は、圧着部６１と被覆加締部６２だけを持つ極めて単純な構造のものであり、また、第２端子１６０も、線状体にへの字状のバネ部１６１を形成しただけの極めて単純な構造のものであるから、コネクタの薄型化と小型化を図りながら、コネクタの大幅なコストダウンを図ることができる。
【００５２】
なお、上記実施形態では、オスコネクタ１に装着する第１端子として、図６（ａ）に示す圧着端子６０を例に挙げたが、図６（ｂ）に示すように圧接端子６５を第１端子として使用してもよい。
【００５３】
この圧接端子６５は、平坦な底壁６６ａと、該底壁６６ａの幅方向両側縁から起立する一対の側壁６６ｂ、６６ｂを有した断面コ字状の端子本体６６の該一対の側壁６６ｂ、６６ｂに前後２箇所の切り込み６９を入れ、側壁６６ｂの一部を内側に曲げて、曲がり片の先端縁同士を適当な隙間を持って対向させ、その対向する先端縁を圧接刃６７、６８としたものである。この圧接端子６５では、断面コ字状の端子本体６６の内側に、上方から電線７０を圧入する。そうすると、前後の圧接刃６７、６８が被覆を切り破って、電線７０の内部の導体（図示略）と接触し、それにより電線７０と端子６５が電気的且つ機械的に接続する。
【００５４】
また、上記実施形態では、ロック突起１３を第１ハウジング１０側に設け、ロック孔２３を第２ハウジング２０Ａ、２０Ｂ側に設けた場合を示したが、その逆に、第１ハウジング１０側にロック孔を設け、第２ハウジング２０Ａ、２０Ｂ側にロック突起を設けてもよいし、他のタイプのロック手段を設けてもよい。
【００５５】
また、上記実施形態では、第１ハウジング１０の上側と下側の両方に第２ハウジング２０Ａ、２０Ｂを重ね合わせる場合を示したが、片側だけに第２ハウジングを重ね合わせるようにしてもよい。そのようにした場合は、第１ハウジング１０も、第２ハウジングと同様に外側に露出することになるので、第１ハウジング１０側に相手側の第２端子１６０を挿入するガイド溝２５を設けてもよい。
【００５６】
また、上記実施形態では、第２ハウジング２０Ａ、２０Ｂ側のキャビティ２２に、第１端子６０の前半部（圧着部）６１が丸ごと収容される端子前半部収容部２２ａを設けたが、第１ハウジング１０側に第１端子６０の前半部（圧着部）６１が丸ごと収容されるようにしてもよい。その場合は、第２ハウジング２０Ａ、２０Ｂが単純な蓋の役目をなすようになる。
【符号の説明】
【００５７】
１  オスコネクタ
１Ａ  オスコネクタハウジング
１０  第１ハウジング
１２  キャビティ
１２ａ  係止壁（係止部）
１３  ロック突起（ロック手段）
１８  ロックアーム
１９  ロック部
２０Ａ，２０Ｂ  第２ハウジング
２２  キャビティ
２２ａ  端子前半部収容部
２３  ロック孔（ロック手段）
２４  係止壁（係止部）
２７  爪
２９  ヒンジ
６０  圧着端子（第１端子）
６１  圧着部（前半部）
６１ｂ  下面（外側面）
６２  被覆加締部
６５  圧接端子（第１端子）
７０  電線
１００  メスコネクタ
１１０  メスコネクタハウジング
１１２  開口
１１２ａ  奥壁
１１９  ロック部
１６０  第２端子
１６１  バネ部
【図１】
0005555498.tif 000002
【図２】
0005555498.tif 000003
【図３】
0005555498.tif 000004
【図４】
0005555498.tif 000005
【図５】
0005555498.tif 000006
【図６】
0005555498.tif 000007
【図７】
0005555498.tif 000008
【図８】
0005555498.tif 000009
【図９】
0005555498.tif 000010